(57)【要約】【課題】ブローニフィルム、特に１２０タイプフィルムに対し、アパーチャーでフィルム部に前後方向に張力を与えることにより、アパーチャー部におけるフィルム部の平面性を確保することができるフィルム給送機構を提供する。【解決手段】フリクションローラ１４は、供給側フィルムローラ１３に対面して設けられ、付勢力によって常時供給側フィルムローラ１３に押し当てられている。フリクションローラ１４の両端部の回転部はフィルム部の外縁部（アパーチャー面より外側）を押し付けている。巻き上げ側スプール１２がモータ駆動力により回転させられると、ブローニフィルムは供給側フィルムローラ１３，アパーチャー２１，巻き上げ側フィルムローラ１１を介して巻き上げられる。フィルム部はフリクションローラ１４の位置で定荷重が与えられるため、アパーチャーで走行方向に張力が生じ、平面性を確保することができる。【選択図】　　　　図２
2004133105.tif 000002
【特許請求の範囲】
【請求項１】
ブローニフィルムを巻き上げ，巻き取りするフィルムローラ，スプール等を有するブローニフィルムカメラのフィルム給送機構において、
フィルム給送経路のアパーチャーの前側にブローニフィルムのフィルム部を他のローラとの間で挟み込むフリクションローラを配置し、
巻き上げ側の給送駆動部で巻き上げる駆動力によってフィルム部の走行方向に張力を与えることを特徴とするフィルム給送機構。
【請求項２】
ブローニフィルムを巻き上げ，巻き取りするフィルムローラ，スプール等を有するブローニフィルムカメラのフィルム給送機構において、
フィルム給送経路のアパーチャーの前側および後側に、ブローニフィルムのフィルム部を他のローラとの間で挟み込むフリクションローラを配置し、
前側と後側フリクションローラとの間でフィルム部の走行方向に張力を与えることを特徴とするフィルム給送機構。
【請求項３】
前記アパーチャーの後側のフリクションローラは、巻き上げ側フィルムローラに接して回転するデート写込みユニットのガイドローラであり、
前記他のローラは前記巻き上げ側フィルムローラであることを特徴とする請求項２記載のフィルム給送機構。
【請求項４】
前記アパーチャーの前側の他のローラは、供給側フィルムローラであり、前記フリクションローラは、オメガロードタイプローディングにおいて、逆カールが画面上では正カールになる位置付近に配置したことを特徴とする請求項１，２または３記載のフィルム給送機構。
【発明の詳細な説明】
【０００１】
【発明の属する技術分野】
本発明はオメガロードタイプなどのブローニフィルムを用いるカメラのフィルム給送機構に関する。
【０００２】
【従来の技術】
ブローニフィルムカメラは駒寸法が６×４．５（ｍｍ），６×６（ｍｍ）などの中判カメラであり、ブローニフィルムであるためカメラのフィルム給送は特別な機構を採用している。
以下、図１を用いてブローニフィルムカメラの各機構，フィルム形状を説明し、フィルム給送機構の問題点に言及する。
【０００３】
図１は、ブローニフィルムカメラのシステム例を示す概略図であり、この図は本発明に係わるフリクションローラの配置位置を示してあり、フリクションローラを除けば、従来の構成である。
ボディ本体１に対し交換式テーキングレンズ２が装脱着可能になっている。また、交換式ファインダユニット３がボディ本体１の上部に装着する構造となっている。さらにブローニフィルムを巻き上げ給送する機構を構成する交換式フィルムボックス９がボディ本体１の背面に装着されるようになっている。交換式テーキングレンズ２を通過した被写体からの光はボディ本体１のメインミラー５で反射され、交換式ファインダユニット３のプリズム４に導かれ、ユーザは接眼部から被写体の構図を観察することができる。
【０００４】
シャッタレリーズによりメインミラー５はアップし、図示しないプレーンシャッタが走りアパーチャー１０上のブローニフィルム６に露光し撮影が完了する。交換式フィルムボックス９内のフィルム給送機構はオメガタイプであり、２つのスプール７，１２は近接して設けられている。
未露光フィルムはスプール７より外位置に設けられたローラ１３を介して巻き上げられ、アパーチャー１０を通り、スプール１２より外位置に設けられたローラ１１を経由してスプール１２に巻き取られる。
フィルム装填時にフィルム情報を得るため、フィルムの先頭付近に設けられているバーコードの読み取り動作を行い、さらに撮影毎にデートの写込みが行われる。
【０００５】
図５は、フィルム例を示す図で、（ａ）はブローニフィルム２２０タイプの形状を、（ｂ）はブローニフィルム１２０タイプの形状を示す図である。
２２０タイプは１２０タイプの倍の長さがあり、例えば１２０タイプで１６枚撮影可能であれば、２２０タイプは３２枚撮影できることになる。
図５（ａ）において、ブローニフィルム２２０タイプはフィルム部３４の先端と後端がリーダ紙３１とトレーラ紙３２の端部にそれぞれ重ねて貼り付けられている。フィルム部３４およびリーダ紙３１とトレーラ紙３２の重ね合わせ部分にはテープ３３，３３が貼付されている。先端側のテープには、フィルムの情報を書き込んだバーコード部３５が記されている。
リーダ紙３１の紙幅ａの寸法はフィルム部３４の幅ｂより少し大きい。
【０００６】
一方、図５（ｂ）におけるブローニフィルム１２０タイプは、１枚の裏紙４６の上にフィルム部４４を載せたもので、フィルム部４４の先端にバーコード部４５を有するテープ４３が貼付されている。
フィルム部４４先端部の手前部分は裏紙４６のリーダ部４１であり、フィルム後端部の後ろ部分は裏紙４６のトレーラ部４２である。裏紙４６の紙幅ａの寸法は図５（ａ）と同様にフィルム部４４の幅ｂより少し大きい。
紙とフィルム部の境目にテープを貼付するのは、裏紙，リーダー紙へのフィルムを保持することと、この紙を利用してバーコードを設けることが目的である。
【０００７】
【発明が解決しようとする課題】
ところで、２２０タイプフィルムはリーダ紙３１とトレーラ紙３２にそれぞれの方向に張力を掛ければ、フィルム部にも張力を掛けることができる。しかしながら１２０タイプフィルムは裏紙４６にはテープ４３のみでフィルム部４４が貼付され、片持ちとなっているため、リーダ部４１およびトレーラ部４２にそれぞれ張力を掛けても、フィルム部４４に対しては張力を掛けることができない。
このように１２０タイプブローニフィルムを使用したカメラの給送機構は、フィルムの構造上巻き上げ側のみを裏紙に対し片持ち固定し、供給側はスプール軸に対し自由なため、巻き上げ軸と供給側軸間でテンションを掛けることが困難で、フィルムの平面性確保が十分ではない。
【０００８】
また、ブローニフィルムは撮影面積が同等の厚みの１３５フィルムに対し広く、レール，圧板間での保持ではフィルム自体のタワミにより平面性を確保するのが困難である。またオメガタイプの給送機構では撮影露光コマ直前でフィルムを逆カールさせているため、撮影部は巻き癖により波打ち状態となり平面性が不安定となる。
本発明の目的は、ブローニフィルム、特に１２０タイプフィルムに対し、
フィルム部のアパーチャーで前後方向に張力を与えることにより、アパーチャー部におけるフィルム部の平面性を確保することができるフィルム給送機構を提供することにある。
【０００９】
【課題を解決するための手段】
前記目的を達成するために本発明によるフィルム給送機構は、ブローニフィルムを巻き上げ，巻き取りするフィルムローラ，スプール等を有するブローニフィルムカメラのフィルム給送機構において、フィルム給送経路のアパーチャーの前側にブローニフィルムのフィルム部を他のローラとの間で挟み込むフリクションローラを配置し、巻き上げ側の給送駆動部で巻き上げる駆動力によってフィルム部の走行方向に張力を与えるように構成されている。
また、本発明は、ブローニフィルムを巻き上げ，巻き取りするフィルムローラ，スプール等を有するブローニフィルムカメラのフィルム給送機構において、フィルム給送経路のアパーチャーの前側および後側にブローニフィルムのフィルム部を他のローラとの間で挟み込むフリクションローラを配置し、前側と後側フリクションローラとの間でフィルム部の走行方向に張力を与えるように構成されている。
さらに本発明における前記アパーチャーの後側のフリクションローラは、巻き上げ側フィルムローラに接して回転するデート写込みユニットのガイドローラであり、前記他のローラは前記巻き上げ側フィルムローラである。
さらには本発明における前記アパーチャーの前側の他のローラは、供給側フィルムローラであり、前記フリクションローラは、オメガロードタイプローディングにおいて、逆カールが画面上では正カールになる位置付近に配置されている。
【００１０】
【発明の実施の形態】
以下、図面を参照して本発明の実施の形態を詳しく説明する。
図１は、本発明によるフィルム給送機構を適用したブローニフィルムカメラの概略図である。
本図の各機能はすでに説明済であるので、その機能部分の説明は省略する。
本発明に係わるフリクションローラ１４はフィルムボックス９の供給側フィルムローラ１３に沿って設けられ、供給側フィルムローラ１３との間でブローニフィルム６を挟み付け、巻き上げ側との間でブローニフィルム６のフィルム部に張力を与える。
【００１１】
図２は、図１のフィルムボックスケース構造の実施の形態を示す右側断面図である。
この実施の形態はオメガロードタイプのブローニフィルム給送機構の例である。フィルムボックスケース９は中央にアパーチャー部２１を有しボディ本体に装着される面にはボディ取付部２２が設けられている。ブローニフィルム６を出し入れするための裏蓋１６は軸１６ａを支点に回転し開閉できるようになっている。
フィルムボックスケース９の中央には供給側スプール７と巻き上げ側スプール１２が配置されている。
【００１２】
一方、２つのスプールの間隔より広い間隔でアパーチャー面側に沿って供給側フィルムローラ１３と巻き上げ側フィルムローラ１１がフィルムの案内ガイドとして設けられている。供給側スプール７から延出されるフィルムは供給側フィルムローラ１３を経由し、圧板８により押圧されながらアパーチャー２１部分を通り、巻き上げ側フィルムローラ１１を介して巻き上げ側スプール１２に巻き取られる。巻き上げ側フィルムローラ１１に対面する部分にバーコードリード・デート写込みユニット２３が設置されている。バーコードリード・デート写込みユニット２３は回転軸２３ａを支点に揺動可能であり、図示しないスプリングにより矢印１５方向（巻き上げ側フィルムローラ１１方向）に付勢され、フィルムを巻き上げ側フィルムローラ１１の外周面に押し当てている。
【００１３】
バーコードリード・デート写込みユニット２３にはバーコードリードセンサとデート写込みレンズ・モジュールが搭載されている。バーコードリードセンサは、巻き上げられるフィルムのテープ３３（４４）のバーコードに対応する位置に設けられ、フィルム情報を読み込む。また、デート写込みレンズ・モジュールはフィルムの下端付近に対応する位置に設けられ、巻き上げ時、フィルムにデートを写込む。
【００１４】
フリクションローラ１４は、供給側フィルムローラ１３に対面して設けられ、付勢力によって常時供給側フィルムローラ１３に押し当てられている。ＡＰローラ１７，１８は、フィルム全幅をガイドするアパーチャーローラであり無負荷の状態で回転する。フリクションローラ１４は逆カールがアパーチャー面では正カールになり平面になるのに有利な位置に設けられている。
【００１５】
図３は、フリクションローラ付近の詳細を示す図で、（ａ）は左側面図，（ｂ）は背面図である。
ローラホルダ２４に回動可能にフリクションローラ１４が取り付けられ、ローラホルダ２４の一端側が軸２４ａに取り付けられている。軸２４ａの両端は、フィルムボックス９に揺動可能に取り付けられている。軸２４ａの中央付近にはローラ押付けスプリング２５が挿入され、ローラホルダ２４を供給側フィルムローラ１３に押し付ける方向に付勢力を与えている。
フリクションローラ１４は軸１４ａでローラホルダ２４に取り付けられ、ローラホルダ２４の取付部とローラホルダ２４の側面の間にはフリクションスプリング２７ａ，２７ｂが嵌挿されている。よってフリクションローラ１４は軸の中央部分に位置するように移動習性が与えられている。
【００１６】
フリクションローラ１４は両端側に回動部２６ａ，２６ｂを有し、回動部２６ａ，２６ｂの外径は中央部分の外形より大きくなっており、ブローニフィルムのフィルム部の外縁部（アパーチャーの外側位置）の上に押し当てられる。ローラ押付スプリング２５の張力によりフリクションローラ１４は供給側フィルムローラ１３に押し付けられる。
【００１７】
図４は、走行方向にフィルムに張力を掛ける構成を説明するための図である。供給側スプール７より供給されるブローニフィルムはフリクションローラ１４と供給側フィルムローラ１３との摩擦力で定荷重で保持される。フィルム部４４の外縁部（アパーチャーの外側部分）は回動部２６ａ，２６ｂによって押さえ付けられている。ブローニフィルムは巻き上げ側フィルムローラ１１を介し巻き上げ側スプール１２に巻き取られる。巻き上げモータ２８は、巻き上げギヤ列２９を介して巻き上げ側スプール１２に回転駆動力を伝達する。したがって巻き上げモータ２８のディテンドトルクによってフィルム部４４をフリクションローラ１４との間で走行方向に張力を与え、アパーチャーでの高精度な停止と平面性を確保している。
【００１８】
以上の実施の形態は、供給側フィルムローラ側にフリクションローラを設け、巻き上げ側のフィルム巻き上げ駆動力との間でフィルム部に張力を与える例を説明したが、巻き上げ側にもフリクションローラを設け、フィルムアパーチャーの前後に設けられる２つのフリクションローラの間でフィルム部に張力を与えることも可能である。かかる場合、上記巻き上げ側のフリクションローラは巻き上げ側フィルムローラに沿って設け、フィルムローラとの間で挟み付けるようにすることができる。
また、巻き上げ側のフリクションローラとしてデート写し込み部にガイドローラを設け、このローラによってフリクションを与えることも可能である。
【００１９】
【発明の効果】
以上、説明したように本発明は、オメガタイプなどに特徴的な供給側ローラに対しフィルム外縁部および裏紙を挟み込むフリクションローラを設けることにより、フィルムローラを押してその回転軸にフリクションを与え、一方、巻き上げスプールをモータなどの駆動力で巻き上げ駆動して逆転のない高精度なフィルム停止を行ってフィルムに巻き上げ側に張力を与えるようにするか、または、巻き上げ側にもフリクションローラを設けて供給側および巻き上げ側の間でフィルムに張力を掛けることにより、アパーチャー部分でフィルム走行方向に張力を掛け、アパーチャー面でのフィルムの平面性を確保することができる。特に１２０タイプブローニフィルムに対しフィルム平面性安定化の効果は大である。
【図面の簡単な説明】
【図１】本発明によるフィルム給送機構を適用したブローニフィルムカメラの概略図である。
【図２】図１のフィルムボックスケース内の実施の形態を示す右側断面図である。
【図３】フリクションローラ付近の詳細を示す図で、（ａ）は左側面図，（ｂ）は背面図である。
【図４】走行方向にフィルムに張力を掛ける構成を説明するための図である。
【図５】フィルム例を示す図で、（ａ）はブローニフィルム２２０タイプの形状を、（ｂ）はブローニフィルム１２０タイプの形状を示す図である。
【符号の説明】
１　ボディ本体
２　交換式テーキングレンズ
３　交換式ファインダユニット
４　プリズム
５　メインミラー
６　ブローニフィルム
７，１２　スプール
８　圧板
９　交換式フィルムボックス
１０　アパーチャー
１１，１３　フィルムローラ
１４　フリクションローラ
１６　裏蓋
１７，１８　ＡＰローラ（アパーチャーローラ）
２１　アパーチャー
２２　ボディ取付部
２３　バーコードリード・デート写込みユニット
２４　ローラホルダ
２５　ローラ押付スプリング
２６　フィルム面との摩擦面
２７ａ，２７ｂ　フリクションスプリング
２９　巻上げギヤ列
３１　リーダ紙
３２　トレーラ紙
３３，４３　テープ
３４，４４　フィルム部
３５，４５　バーコード部
４１　リーダ部
４２　トレーラ部
４６　裏紙
【図１】
2004133105.tif 000003
【図２】
2004133105.tif 000004
【図３】
2004133105.tif 000005
【図４】
2004133105.tif 000006
【図５】
2004133105.tif 000007